(57)【要約】     【課題】  輸送時に被梱包物品がメカニカルダメージを受けることを防ぐことができると共に、梱包作業を簡素化して、機械によって自動化することができる包装構造体を提供する。    【解決手段】  包装構造体１００は、矩形の底面板２０１と、底面板２０１に連設された４枚の対向側板２０２と、対向側板２０２の上端縁に夫々連設されて開口部を形成する４つのフラップ２０３とから成る大包装箱２００と、大包装箱２００の底面板２０１上に配置されて製品の付属品を収納する付属品用パッキン３と、上面の中央部に製品本体を収納する凹部を有し、付属品用パッキン３の上に配置される本体用パッキン４と、本体用パッキン４と開口部との間に生じる空間を埋めるように本体用パッキン４の上に配置されて製品本体の使用説明書等の印刷物を収納する直方体状の小包装箱３００とを備える。【選択図】      図１
2006193191.tif 000002
【特許請求の範囲】
【請求項１】
製品本体を収納する本体用パッキンと、前記製品本体の付属品を収納する小包装箱と、上部に開口部を備える大包装箱とを備える包装構造体において、前記大包装箱は、前記本体用パッキン及び前記小包装箱を下部に収納し、前記小包装箱は、前記本体用パッキンと前記開口部との間に生じる空間を埋めるように前記本体用パッキンの上に配置され、前記小包装箱の側面の横幅は、前記小包装箱の側面が夫々接する前記大包装箱の内側面の横幅に夫々略等しいことを特徴とする包装構造体。
【請求項２】
前記小包装箱は、直方体の上面の１辺を取り除くように斜めに切断された斜面を備えることを特徴とする請求項１記載の包装構造体。
【請求項３】
前記小包装箱は、フラップ部を有し、前記斜面は、前記フラップ部に備えられることを特徴とする請求項２記載の包装構造体。
【請求項４】
前記斜面の下辺と、前記小包装箱の底面上において前記下辺と対角的に対向する辺との距離は、前記大包装箱の内側面のうちの前記小包装箱における前記斜面を挟持するものの横幅より小さいことを特徴とする請求項３記載の包装構造体。
【請求項５】
前記小包装箱は、前記収納された付属品の種類を識別することができる識別手段を備えることを特徴とする請求項１乃至４のいずれか１項に記載の包装構造体。
【請求項６】
前記識別手段は、孔及びバーコードの少なくとも１つであることを特徴とする請求項５記載の包装構造体。
【請求項７】
前記本体用パッキンの上面は滑らかであることを特徴とする請求項１乃至６のいずれか１項に記載の包装構造体。
【発明の詳細な説明】
【技術分野】
【０００１】
本発明は、包装構造体に関し、特に、小包装箱とそれを収納する大包装箱とから成る包装構造体に関する。
【背景技術】
【０００２】
図１２は、従来の包装構造体の一例の構成を概略的に示す図である。
【０００３】
図１２において、包装構造体４００は、矩形の底面板５０１と、底面板５０１の４辺に夫々連設された４枚の対向側板５０２と、対向側板５０２の上端縁に夫々連設された４つのフラップ部５０３とから成る大包装箱５００を備える。
【０００４】
包装構造体４００は、大包装箱５００の中において、底面板５０１上に配置されて製品本体２０の付属品３０を収納する付属品用パッキン３と、付属品用パッキン３の上に配置されて製品本体２０を上下方向から支持する一対の本体用パッキン２と、一対の本体用パッキン２のうちの上側のものの上に配置されて製品本体２０の使用説明書等の複数の印刷物１０を収納すると共に印刷物１０と本体用パッキン２とを仕切る仕切り部材１とを備える。
【０００５】
また、印刷物１０の収納方法として、仕切り部材１を使わずに、大包装箱５００のフラップ部５０３を大包装箱５００の内側に折り込むと共に、折り込まれたフラップ部５０３に印刷物１０を収納するものがある（例えば、特許文献１及び２参照）。
【特許文献１】特開２００２−１７９１５１号公報（第８頁、図７）
【特許文献２】特開２００３−２００９７５号公報（第１２頁、図１０）
【発明の開示】
【発明が解決しようとする課題】
【０００６】
しかしながら、従来の包装構造体４００は、印刷物１０と大包装箱５００との間に隙間があると、包装構造体の輸送時に、被梱包物品である印刷物１０、製品本体２０、及び付属品３０にメカニカルダメージにより重大な欠陥が発生し、品質問題となる可能性がある。
【０００７】
また、印刷物１０は、仕向けにより夫々厚さと数量が異なるので、輸送時にメカニカルダメージを受け易い。さらに、印刷物１０は、仕向けにより夫々種類が異なるので、包装構造体への梱包作業が繁雑になり、梱包作業に間違いが発生する可能性がある。加えて、これらの梱包作業の自動化は困難である。
【０００８】
本発明の目的は、輸送時に被梱包物品がメカニカルダメージを受けることを防ぐことができると共に、梱包作業を簡素化し、機械によって自動化することができる包装構造体を提供することにある。
【課題を解決するための手段】
【０００９】
上記目的を達成するために、請求項１記載の包装構造体は、製品本体を収納する本体用パッキンと、前記製品本体の付属品を収納する小包装箱と、上部に開口部を備える大包装箱とを備える包装構造体において、前記大包装箱は、前記本体用パッキン及び前記小包装箱を下部に収納し、前記小包装箱は、前記本体用パッキンと前記開口部との間に生じる空間を埋めるように前記本体用パッキンの上に配置され、前記小包装箱の側面の横幅は、前記小包装箱の側面が夫々接する前記大包装箱の内側面の横幅に夫々略等しいことを特徴とする。
【発明の効果】
【００１０】
請求項１記載の包装構造体によれば、小包装箱は、本体用パッキンと開口部との間に生じる空間を埋めるように本体用パッキンの上に配置されるので、輸送時に被梱包物品がメカニカルダメージを受けることを防ぐことができると共に、梱包作業を簡素化して、機械によって自動化することができる。
【発明を実施するための最良の形態】
【００１１】
以下、本発明の実施の形態を図面を用いて詳述する。
【００１２】
図１は、本発明の実施の形態に係る包装構造体の構成を概略的に示す図である。
【００１３】
図１において、包装構造体１００は、矩形の底面板２０１と、底面板２０１に連設された４枚の対向側板２０２と、対向側板２０２の上端縁を開口部とすると共に当該上端縁に夫々連設された４つのフラップ２０３とから成る大包装箱２００を備える。
【００１４】
包装構造体１００は、大包装箱２００の中において、底面板２０１上に配置されて製品の付属品を収納する付属品用パッキン３と、上面の中央部に製品本体を収納する凹部を有し、付属品用パッキン３の上に配置される本体用パッキン４と、本体用パッキン４と開口部との間に生じる空間を埋めるように本体用パッキン４の上に配置されて製品本体の使用説明書等の印刷物を収納する直方体状の小包装箱３００とを備える。
【００１５】
小包装箱３００は、図２（ａ）〜図２（ｃ）に示すように、異なる厚さ及び数量の印刷物１１，１２，１３を収納する。
【００１６】
小包装箱３００において、小包装箱３００の側面のうちの一対の側面３０１の横幅ａ'は、大包装箱２００の内側面のうちの側面３０１と接する面の横幅ａと略等しい（図１）。また、他の一対の側面（不図示）の横幅についても同様である。つまり、小包装箱３００において、小包装箱３００の側面の横幅は、小包装箱３００の側面が夫々接する大包装箱２００の内側面の横幅に夫々略等しい。
【００１７】
図１の包装構造体１００によれば、本体用パッキン４と開口部との間に生じる空間を埋めるように本体用パッキン４の上に配置されて製品本体の使用説明書等の印刷物を収納する直方体状の小包装箱３００を備えるので、仕向けにより印刷物の厚さ及び数量が異なる場合でも、大包装箱２００内に隙間が生じず、輸送時等に被梱包物品がメカニカルダメージを受けるのを防止することができる。
【００１８】
本実施の形態では、包装構造体１００は、小包装箱３００を、大包装箱２００の開口部を全て塞ぐように備えていたが（図３（ａ））、大包装箱２００の開口部の一部が別の箱によって塞がれている場合は、残りの部分を塞ぐように備えてもよい（図３（ｂ）〜（ｄ））。この場合、小包装箱３００の大きさは、残りの部分の大きさに略等しい。
【００１９】
図４は、図１における小包装箱３００の斜視図である。
【００２０】
図４において、小包装箱３００は、上面上の中央に２つの孔４０１と、上面の１辺上に孔４０２とを備える。これにより、外部から小包装箱３００に収納されている印刷物等の収納物の識別を行うことができ、もって仕向けにより印刷物の種類が異なる場合の梱包作業を簡素化することができ、梱包作業における間違いの発生を抑えることができる。
【００２１】
小包装箱３００は、また、その側面に小包装箱３００の収納物を識別するバーコード５０１を備えてもよい（図５）。これにより、小包装箱３００の収納物の識別を確実に行うことができる。
【００２２】
図６は、図１における小包装箱３００の他の変形例を説明する図である。
【００２３】
図６の包装構造体１００は、図１のものと同じ構成要素には同一の符号を付して重複した説明を省略し、図１の包装構造体１００と異なる構成要素についてのみ以下に説明する。
【００２４】
図６において、小包装箱３００は、直方体の上面の１辺を取り除くように斜めに切断された長方形の斜面６０１を有する。斜面６０１に垂直に連設された一対の側面３０１は、線分ＡＢで頂点の１つが略４５°で切断され、その結果、頂点Ａ，Ｂ，Ｃ，Ｄ，Ｅを有する。側面３０１の底辺ＣＤの長さはａ'であり、対角線ＢＤの長さ、つまり、斜面６０１の下辺と、小包装箱３００の底面上において斜面６０１の下辺と対角的に対向する辺との距離はｂである。
【００２５】
大包装箱２００の内側面のうちの小包装箱３００における斜面６０１を挟持するものの横幅をａとすると、底辺ＣＤの長さａ'、及び対角線ＢＤの長さｂは、ａ＞ａ'、ａ＞ｂの条件を満たす。
【００２６】
図６の包装構造体１００によれば、小包装箱３００は、上側面の１辺を取り除くように斜めに分割されて形成された長方形の斜面６０１を備え、大包装箱２００の内側面のうちの小包装箱３００における斜面６０１を挟持するものの横幅ａ、底辺ＣＤの長さａ'、及び対角線ＢＤの長さｂは、ａ＞ａ'、ａ＞ｂの条件を満たすので、小包装箱３００は、斜面６０１側に傾いた状態で大包装箱２００に容易に投入されると共に収納され、もって機械によって小包装箱３００を斜面６０１側に傾けた状態で大包装箱２００に収納することができ、大包装箱２００への梱包作業を機械によって自動化することができる。
【００２７】
図７は、図６における小包装箱３００の斜視図である。
【００２８】
図７において、小包装箱３００は、フラップ部７０１を備え、斜面６０１は、フラップ部７０１に設けられている。これにより、フラップ部７０１の折り曲げ加工が容易となり、もって小包装箱３００の組み立て作業を簡易化することができる。
【００２９】
また、フラップ部７０１は、小包装箱３００の上面に連設されてもよいし（図８）、下面に連設されてもよい（図９）。
【００３０】
ここで、小包装箱１００が備える斜面は、斜面６０１に限ることはなく（図１０（ａ））、斜面６０１の対角方向に斜面８０１を設けたり（図１０（ｂ））、小包装箱１００の上面において斜面６０１に対向する位置に斜面８０２を設けたり（図１０（ｃ））、小包装箱１００の側面における斜面６０１に対向する位置に斜面８０３を設けると共に斜面８０１及び斜面８０２を設けたり（図１０（ｄ））してもよい。これにより、小包装箱３００の大包装箱２００への梱包作業を確実に自動化することができる。
【００３１】
また、図６における本体用パッキン４の上側面９０１は、滑りやすくなっていてもよい（図１１（ａ））。これにより、本体用パッキン４の上側面９０１は、滑り易いレールの役割を果たし、斜面６０１側に傾いた状態で大包装箱２００に投入された小包装箱１００は、本体用パッキンの上側面９０１を滑り大包装箱２００に容易に収納され（図１１（ｂ））、もって小包装箱１００の大包装箱２００への梱包作業をより確実に自動化することができる。
【図面の簡単な説明】
【００３２】
【図１】本発明の実施の形態に係る包装構造体の構成を概略的に示す図である。
【図２】図１における小包装箱の構成を概略的に示す図であり、（ａ）は、３つの印刷物を収納する場合であり、（ｂ）は、２つの印刷物を収納する場合であり、（ｃ）は、１つの印刷物を収納する場合である。
【図３】図１における小包装箱の大包装箱への梱包方法を説明する斜視図であり、（ａ）は、大包装箱の開口部を全て塞ぐように梱包される例を示し、（ｂ）〜（ｄ）は、大包装箱の開口部の一部を塞ぐように梱包される例を示す。
【図４】図１における小包装箱の斜視図である。
【図５】図１における小包装箱の変形例の斜視図である。
【図６】図１における小包装箱の他の変形例を説明する図である。
【図７】図６における小包装箱の斜視図である。
【図８】図６における小包装箱の一例の展開図である。
【図９】図６における小包装箱の他の一例の展開図である。
【図１０】図６における小包装箱の側面図の例を示し、（ａ）は、斜面を１つ備える例を示し、（ｂ）は、斜面を対角状に２つ備える例を示し、（ｃ）は、斜面を上側に２つ備える例を示し、（ｄ）は、斜面を４つ備える例を示す。
【図１１】図６における小包装箱の梱包作業を説明するのに用いられる図であり、（ａ）は、小包装箱が梱包される前の状態を示し、（ｂ）は、梱包された状態を示す。
【図１２】従来の包装構造体の一例の構成を概略的に示す図である。
【符号の説明】
【００３３】
１  仕切り部材
３  付属品用パッキン
４  本体用パッキン
１０  印刷物
２０  製品本体
３０  付属品
１００  包装構造体
２００  大包装箱
３００  小包装箱
４０１  孔
５０１  バーコード
７０１  フラップ部
【図１】
2006193191.tif 000003
【図２】
2006193191.tif 000004
【図３】
2006193191.tif 000005
【図４】
2006193191.tif 000006
【図５】
2006193191.tif 000007
【図６】
2006193191.tif 000008
【図７】
2006193191.tif 000009
【図８】
2006193191.tif 000010
【図９】
2006193191.tif 000011
【図１０】
2006193191.tif 000012
【図１１】
2006193191.tif 000013
【図１２】
2006193191.tif 000014